(57)【要約】【課題】  従来の援助活動においては、援助する者もしくは募金団体が援助先を決定していたが、不特定多数の人々から援助先情報を広く集めて援助物を分配することは出来なかった。世界中で援助を必要としている所は多いが、その事実に気付いて、適時に援助できるシステムおよび方法がない。インターネットを使い、援助先情報を広く集めて、より広範囲に分配することを可能とする。【解決手段】  本発明の援助分配決定システムは、援助を受けるべきであるとユーザ９ｐが判断する前記援助先５についての情報を受け付けて、受け付けた情報を投票情報として送信する複数の端末９と、前記端末９からインターネットを介して送信される前記投票情報を受信して、前記投票情報に基づいて前記援助物の分配比率を決定する分配決定サーバ１８とを備えることを特徴とする。【選択図】図１
2009266206.tif 000002
【特許請求の範囲】
【請求項１】
インターネットを利用して援助金ならびに援助物資を含む援助物を、前記援助物を受け取る援助先へと分配決定する援助分配決定システムであって、
援助を受けるべきであるとユーザが判断する前記援助先についての情報を受け付けて、受け付けた情報を投票情報として送信する複数の端末と、
前記端末から前記ネットワークを介して送信される前記投票情報を受信して、前記投票情報に基づいて前記援助物の分配比率を決定する分配決定サーバと、
を備えることを特徴とする援助分配決定システム。
【請求項２】
前記端末が前記援助先のサーバに接続する場合、前記援助先サーバは前記端末に対してアイコン情報を送信し、
前記アイコン情報を受信する前記端末は、前記アイコン情報に基づくアイコンを表示し、表示された前記アイコンを介して前記ユーザがクリック入力する場合、前記端末は、前記クリック入力に基づいて選択された前記援助先情報を前記投票情報として前記分配決定サーバに送信することを特徴とする請求項１に記載の援助分配決定システム。
【請求項３】
インターネットを利用して援助金ならびに援助物資を含む援助物を、前記援助物を受け取る援助先へと分配決定サーバが分配決定する援助分配決定方法であって、
援助を受けるべきとユーザが判断して入力する前記援助先についての情報を端末が受け付けて、投票情報として送信する投票情報送信工程と、
前記端末から前記ネットワークを介して送信される前記投票情報を前記分配決定サーバが受信する投票情報受信工程と、
前記分配決定サーバが、受信した前記投票情報に基づいて前記援助物の分配比率を決定する分配比率決定工程と、
を備えることを特徴とする援助分配決定方法。
【請求項４】
さらに、前記端末が前記援助先のサーバに接続する場合、前記援助先サーバは前記端末に対してアイコン情報を送信するアイコン情報送信工程と、
前記アイコン情報を受信する前記端末が、前記アイコン情報に基づいて前記援助先についてのアイコンを表示するアイコン表示工程と、
表示された前記アイコンを介して前記ユーザによるクリック入力を受け付ける場合、受け付けた前記クリック入力に基づいて、選択された前記援助先情報を前記投票情報として前記端末は前記分配決定サーバに送信することを特徴とする請求項３に記載の援助分配決定方法。
【発明の詳細な説明】
【技術分野】
【０００１】  本発明は、インターネットを利用して、援助先情報を広く集めて援助物を分配するシステムおよびその方法に関する。
【背景技術】
【０００２】  従来の援助活動においては、援助する者もしくは募金団体が援助先を決定していた。しかし、援助先を決定するシステム的な技術及びその方法が無かった。
【発明の概要】
【発明が解決しようとする課題】
【０００３】  例えば、従来の方法では、不特定多数の人々から援助先情報を広く集めてシステム的に援助物を分配する技術はなかった。
世界中で援助を必要としている機関や個人、団体などは多いが、その事実に気付いて、適時に援助を与えるシステムおよび方法がなかった。【０００４】  本発明は、かかる課題を解決し、援助先情報を広く集めて援助先を決定するシステムおよびその方法を提供する目的のために考案されたものである。
【課題を解決するための手段】
【０００５】  かかる課題の解決のため、本発明の援助分配決定システムは、
援助を受けるべきであるとユーザが判断する前記援助先についての情報を受け付けて、受け付けた情報を投票情報として送信する複数の端末と、
前記端末から前記ネットワークを介して送信される前記投票情報を受信して、前記投票情報に基づいて前記援助物の分配比率を決定する分配決定サーバと、
を備えることを特徴とする。【０００６】  一例として、前記端末が前記援助先のサーバに接続する場合、前記援助先サーバは前記端末に対してアイコン情報を送信し、
前記アイコン情報を受信する前記端末は、前記アイコン情報に基づくアイコンを表示し、表示された前記アイコンを介して前記ユーザがクリック入力する場合、前記端末は、前記クリック入力に基づいて選択された前記援助先情報を前記投票情報として前記分配決定サーバに送信する。【０００７】  また、その方法としては、援助を受けるべきとユーザが判断して入力する前記援助先についての情報を端末が受け付けて、投票情報として送信する投票情報送信工程と、
前記端末から前記ネットワークを介して送信される前記投票情報を前記分配決定サーバが受信する投票情報受信工程と、
前記分配決定サーバが、受信した前記投票情報に基づいて前記援助物の分配比率を決定する分配比率決定工程と、
を備えることを特徴とする。【０００８】  一例として、前記端末が前記援助先のサーバに接続する場合、前記援助先サーバは前記端末に対してアイコン情報を送信するアイコン情報送信工程と、
前記アイコン情報を受信する前記端末が、前記アイコン情報に基づいて前記援助先についてのアイコンを表示するアイコン表示工程と、
表示された前記アイコンを介して前記ユーザによるクリック入力を受け付ける場合、受け付けた前記クリック入力に基づいて、選択された前記援助先情報を前記投票情報として前記端末は前記分配決定サーバに送信する。
【発明の効果】
【０００９】  本発明によれば、インターネットを使用して広範囲な端末ユーザからの大量の援助希望先情報を収集し、また援助先への援助の申し出を収集し、収集された援助希望先情報に基づいて収集された援助の分配を決定することができる。
【図面の簡単な説明】
【００１０】
【図１】本発明における全体のシステムを示した図である。
【図２】援助を受けることを希望する個人や団体が主催するブログやホームページ上に添付するマークを説明する図である。
【図３】情報の流れを示すフローチャートである。
【図４】情報の他の流れを示すフローチャートである。
【発明を実施するための最良の形態】
【００１１】  以下、本発明の実施の形態を図面に基づき詳細に説明する。【００１２】  図１は、本発明における全体のシステムを示したものである。このインターネットを利用した援助分配決定システムの一例においては、援助物を提供する者（援助提供者）１と、分配決定サーバを管理し援助を分配する者（援助分配者）３と、援助を受ける者（援助先）５と、援助をどこに分配するかの意思を表示する第三者的立場にある人々９ｐ（ユーザ端末）９との４者が存在することである。ここで援助物とは援助金ならびに援助物資を含み、さらにはサービスをも含む。援助を、資金の流れと情報の流れに関連して、図１「全体システム」に示す。【００１３】  援助提供者１は、個人であったり、資産家であったり、企業、または国家でもありえる。これらから提供される資金は、図１に示すように、いったん援助分配者３が管理する銀行口座２に振り込まれて、蓄えられる。この集まった資金を、助けを必要とする援助先５に対して、どのような方法で配布するかを以下に説明する。【００１４】  援助先５は、あらかじめ援助分配者３が管理する分配決定サーバ１８に登録されていることが望ましい。【００１５】  援助分配者３のホームページには援助先５についての情報が含まれ、インターネットなどのネットワークに接続された不特定多数のユーザ端末９のブラウザ画面に表示される。また、援助分配者３のホームページには投票画面があり、同ホームページにアクセスするユーザ９ｐは、援助先を指定して分配決定サーバ１８に送信できるように構成する。ユーザから送信された投票情報は分配決定サーバ１８が受信し、分配決定サーバ１８においては、受信した投票情報を蓄積・処理して、援助物の分配比率を決定する。【００１６】  図２は、援助を受けることを希望する個人や団体が主催するブログやホームページ上に添付するマークを説明する図である。援助先５は、個人として、あるいは団体として、インターネット上にブログやホームページ６などを持っているものとする。そして、図２のマーク７に近接して符号１０で示すように、自分達の活動の報告や資金を必要とする理由など、分かりやすく提示する。図２に示したマーク７は、援助先を限定する情報を送信しうる特定のアイコンの一例である。【００１７】  そして、このブログやホームページ６上に、マーク７を貼り付ける。ここで、このマーク７は援助分配者３から正式に配布されたものでなければならない。図１の全体システムに示すように、このマーク７は、当該援助先５を指定する情報を示し、援助分配者３のホームページに接続するように、ネットワークを介してリンク８されている。ユーザ端末９に表示されるマーク７をユーザ９ｐがクリックするとクリック入力が分配決定サーバ１８に送信されて、受信される。【００１８】  ここで、世界中の不特定多数の人々であるユーザ９ｐが、ユーザ端末９からインターネットを介して、そのブログやホームページ６に出会って、その内容を見て、提示された内容１０に共感したと仮定する。その時、その不特定多数の人々９ｐは、ユーザ端末９に表示されたこのマーク７をクリックして当該援助先５に援助を希望する意思を表示する情報を送信すると同時に援助分配者３のホームページに��続することが望ましい。【００１９】  その人々９ｐは、接続した援助分配者３のホームページ上で、アンケートに答えるなど付帯的な情報を送信する。送信された情報が援助分配者３の分配決定サーバ１８に蓄積され処理される。その結果として分配についての情報が出力される。この出力される分配についての情報に基づいて、ある一定額の金額が決定される。この決定された一定額の金額が、その人々９ｐに代わって、分配決定サーバ１８からの自動指示によって、銀行口座２に蓄えられた資金の中から、分配することが決定した、すなわち分配比率が決定した援助先５に対して自動的に送金されるものとする。【００２０】さらに、インターネット上の不特定多数の人々９ｐは、援助分配者３のホームページ内において、アンケートに答えるだけでなく、この計画にパートナーとして参加している企業４の広告を見ることができるように、該ホームページを作成しておくことが望ましい。そのパートナー４の広告からパートナー４のホームページへリンクするよう構成することが出来る。リンク先でパートナー４は製品を人々９ｐに示して、人々９ｐが製品を購入できるサービスをホームページ上で設定することも可能である。【００２１】  図２のマークに関してさらに詳細に述べる。先にも述べたように、このマーク７は、援助分配者３が、認定したブログやホームページ６に対して与えるものである。そして、ユーザがこれらのブログやホームページ６にアクセスする場合、このマーク７がユーザ端末９に表示され、さらにマーク７の下には、このマークの意義１１が表示されるように構成されている。さらに、そのブログやホームページ６の主催者である援助先５に対して、送金された援助金の総額１２と、過去１ヵ月に援助された金額１３とが表示される。従って、そのブログやホームページ６を閲覧するインターネット上の不特定多数の人々９ｐは、そのブログやホームページ６にアクセスして、これらの内容１０を見ることができる。そして、人々９ｐが、表示されている内容に賛成して援助したいと思った場合は、このマーク７をクリックして、援助分配者３のホームページにリンクするよう、互いにリンクさせて構成することもできる。【００２２】  図３は、情報の流れの一例を示すフローチャートである。図３の援助分配者を中心に説明する。先にも述べたように、援助分配者のホームページは、援助先５についての情報が含まれ、同ホームページにアクセスするユーザ９ｐは（ステップＳ１０１）、表示された援助分配者３のホームページを見て（ステップＳ１０２）、援助先を指定して（ステップＳ１０３）分配決定サーバ１８に送信できる（ステップＳ１０４）ように構成してある。これは援助先を表明する投票情報の一つである。
分配決定サーバ１８は、投票情報を受信して（ステップＳ１０５）、受信した投票情報に基づいて援助物の分配比率を決定し、援助先５に対して援助金を送金する。この送金は各種の方法があり、自動的な送金も可能である（ステップＳ１０６）。
上記のステップにおいては、援助分配者３のホームページでは、アクセスする人々９ｐに対して、いくつかのサービスや情報を提供することが出来る。例えば、アンケートを提供して回答情報を得ることが出来る。これを投票情報として使うことも出来る。
援助分配者３は、アンケートを準備することによって、適切な情報を収集することが可能である。そして、援助分配者３は得た情報をより高度な次元で活用することが出来る。【００２３】  一方、個別的に援助先を希望する人々９ｐが、第三機関１７の端末９´を介して援助の意思を表明する場合について説明する。援助分配者３のホームページを訪れた人々９ｐは、希望する援助先５を示す識別情報を使って第三機関１７から援助を申し出ることも可能である。この場合、人々９ｐは援助を希望する援助先と、提供する援助額の情報を、第三機関１７の端末９´から入力し、援助分配者３の分配決定サーバ１８に送信する。
例えば、希望する人々９ｐは、援助金をいったん援助分配者の銀行口座２に振り込む場合、援助を申し出る人々９ｐが、援助人の名称として人々９ｐ自らを表す振込人名を入力し、同時に援助を受けるべきであると判断する援助先を表す識別情報を入力することができるように構成する。こうすれば、銀行から援助分配者３のサーバ・システム宛てに送信される入金情報と同時に、当該援助先５に援助を希望する意思を表示する情報が送信されるので、金額と援助先についての情報は投票情報となる。この投票情報を援助分配者３の分配決定サーバ１８が受信し、解析して、援助先５に対して援助金の金額を決定する。【００２４】  また、先に述べたように、この計画に賛同した企業パートナー４がある場合について説明する。パートナー４は援助金を提供するだけでなく、援助分配者３の運営に対しても参加することにしても良い。【００２５】  ここで、パートナー４は、人々９ｐが希望する援助先５に対して、援助金を出す構成とすることもできる。パートナー４は、パートナー４の販売する製品を購入した人々に対して、何らかのサービスを提供する場合がある。例えば、パートナー４は、人々９ｐが製品を購入した場合に、その製品購入の見返りとして特典、例えば購入に応じたマイレージ、キャッシュバック、ポイントなどのいわゆる消費者還元利益を提供することがある。本システムは、この消費者還元利益を援助先に対して、人々９ｐからの援助として分配する構成とすることもできる。
この場合、企業などのパートナー４から、人々９ｐの希望によって援助金として直接、消費者還元利益を、直接援助先５に送金することもできる。一方、このように直接送金するのではなく、援助分配者３の指示により、援助分配者３の銀行口座２にまず蓄えられて、この銀行口座２を経由して送金される構成とすることも出来る。
この場合、パートナー４の製品を購入した人々９ｐは、援助をすべきであると判断する援助先を、パートナー４に指示することも出来る。パートナー４に対して指示された援助先情報は、パートナー４の端末９´に受け付けられ、パートナー４の端末９´から援助分配者３の分配決定サーバ１８宛てに送信される。
この場合、端末９´は、援助先を識別する識別情報を、援助分配者３の分配決定サーバ１８に送信する構成とすることもできる。この識別情報を分配決定サーバ１８は受信・解析し、援助先５に対して援助金を自動送金する構成としてもよい。ここで識別情報として、例えば番号、アイコン、バーコードなど各種の情報を識別できる記号を使用することが出来る。【００２６】  上記に説明したシステムにおける情報の流れについてもう一度まとめると以下のとおりである。図３において、インターネット上の不特定多数の人々９ｐがユーザ端末９のブラウザ画面に援助分配者３のホームページアドレスを入力し送信すると、援助分配者３のホームページ情報が分配決定サーバ１８からユーザ端末に送信され、ユーザ端末に表示される。また、分配決定サーバ１８に登録されている援助先についての情報が画面に表示される。
ユーザが、援助を受けるべきであると判断した援助先についての情報を、さまざまな端末９´から入力すると、端末９´は分配決定サーバ１８に投票情報として送信する。ネットワークを介して送信された投票情報を分配決定サーバ１８が受信する。
分配決定サーバ１８は、受信した投票情報に基づいて前記援助物の分配比率を決定する。この場合の分配比率については、例えば、比例配分でもよく、また、重み付けをなされた上での比例配分でも良い。【００２７】  図４は、情報の流れの他の一例を説明する図である。図４に示すようにインターネット上の不特定多数の人々９ｐがユーザ端末９のブラウザ画面に援助先５のホームページアドレスを入力し送信する（ステップＳ２０１）。援助先５のサーバはホームページ６の情報、およびこのホームページに貼り付けられた援助分配者３から与えられたマーク７の情報を、ユーザ端末９に送信し、ユーザ端末は受信して表示する（ステップＳ２０２）。
ユーザが、援助を受けるべきであると判断して、マーク７をクリックすると（ステップＳ２０３）、端末９は分配決定サーバ１８に投票情報として送信する（ステップＳ２０４）。分配決定サーバ１８は、ネットワークを介して送信された投票情報を受信する（ステップＳ２０５）。分配決定サーバ１８は、受信した投票情報に基づいて前記援助物の分配比率を決定する。そして、自動送金する（ステップＳ２０６）。【００２８】  以上、種々の実施形態を示して本発明について説明してきたが、本発明はこれらの実施形態に限定されるものではない。例えば、援助先５のホームページ６に貼り付けたマーク７を用いる代わりに、メールマガジンで、援助先５を指定する情報を持ちつつ援助分配者３のホームページにジャンプするハイパーテキスト文章を人々９ｐの利用するユーザ端末９に送信することも可能である。また、援助先５に関する情報を人々９に印刷媒体や電波・音声・映像を介して伝達することも可能である。この場合、援助先５に関する情報は、バーコードを携帯電話の写真機能で撮影して送信する方法を用いても良い。
【図１】
2009266206.tif 000003
【図２】
2009266206.tif 000004
【図３】
2009266206.tif 000005
【図４】
2009266206.tif 000006